(57)【要約】【課題】所望部位に強固に固定させることができるとともに、表面の意匠の変更を容易に行わせることができる意匠パネルを提供する。【解決手段】表面に所定意匠が施されるとともに所望部位に固定可能な意匠パネルであって、所定意匠とは異なる意匠が表面に施された脱着パネル２を位置決めさせつつ取付可能な取付部１ａが表面に形成されたベースパネル１から成るものであり、ベースパネル１の所定意匠の一部を表面に臨ませつつ脱着パネル２が取付部１ａに取付可能とされたものである。【選択図】図１
2011235766.tif 000002
【特許請求の範囲】
【請求項１】
表面に所定意匠が施されるとともに所望部位に固定可能な意匠パネルであって、
前記所定意匠とは異なる意匠が表面に施された脱着パネルを位置決めさせつつ取付可能な取付部が表面に形成されたベースパネルから成ることを特徴とする意匠パネル。
【請求項２】
前記ベースパネルの所定意匠の一部を表面に臨ませつつ前記脱着パネルが前記取付部に取付可能とされたことを特徴とする請求項１記載の意匠パネル。
【請求項３】
前記取付部は、前記脱着パネルの少なくとも一部の外輪郭形状に倣った凹部から成り、当該凹部に当該脱着パネルの外輪郭形状を合致させて位置決め可能とされたことを特徴とする請求項１又は請求項２記載の意匠パネル。
【請求項４】
前記脱着パネルは、前記取付部に対して脱着自在に取り付けられたことを特徴とする請求項１〜３の何れか１つに記載の意匠パネル。
【発明の詳細な説明】
【技術分野】
【０００１】
本発明は、表面に所定意匠が施されるとともに所望部位に固定可能な意匠パネルに関するものである。
【背景技術】
【０００２】
近時において、自動車等の車両内における所望部位にユーザが任意に所定意匠を施す要求が高まっており、当該所定意匠を施すための意匠パネルが提供されるに至っている。かかる意匠パネルは、通常、その表面に種々意匠が施された複数のものが用意されており、ユーザが自分の好みの意匠のものを取り寄せ、所望部位に両面テープ等で貼着して固定させるよう構成されていた。尚、かかる先行技術は、文献公知発明に係るものでないため、記載すべき先行技術文献情報はない。
【発明の概要】
【発明が解決しようとする課題】
【０００３】
しかしながら、上記従来の意匠パネルにおいては、その表面の意匠を変更するにはパネル全体を所望部位から剥がして取り外す必要があり、剥がす際に当該所望部位の表面が汚損又は破損してしまう可能性があった。然るに、意匠の変更を容易に行わせるべく、所望部位に対して意匠パネルを脱着自在に取り付ける構成とすることが考えられるが、その場合、意匠の変更を意図しないときに不用意に外れてしまう可能性が高くなってしまうという不具合がある。
【０００４】
本発明は、このような事情に鑑みてなされたもので、所望部位に強固に固定させることができるとともに、表面の意匠の変更を容易に行わせることができる意匠パネルを提供することにある。
【課題を解決するための手段】
【０００５】
請求項１記載の発明は、表面に所定意匠が施されるとともに所望部位に固定可能な意匠パネルであって、前記所定意匠とは異なる意匠が表面に施された脱着パネルを位置決めさせつつ取付可能な取付部が表面に形成されたベースパネルから成ることを特徴とする。
【０００６】
請求項２記載の発明は、請求項１記載の意匠パネルにおいて、前記ベースパネルの所定意匠の一部を表面に臨ませつつ前記脱着パネルが前記取付部に取付可能とされたことを特徴とする。
【０００７】
請求項３記載の発明は、請求項１又は請求項２記載の意匠パネルにおいて、前記取付部は、前記脱着パネルの少なくとも一部の外輪郭形状に倣った凹部から成り、当該凹部に当該脱着パネルの外輪郭形状を合致させて位置決め可能とされたことを特徴とする。
【０００８】
請求項４記載の発明は、請求項１〜３の何れか１つに記載の意匠パネルにおいて、前記脱着パネルは、前記取付部に対して脱着自在に取り付けられたことを特徴とする。
【発明の効果】
【０００９】
請求項１の発明によれば、脱着パネルを位置決めさせつつベースパネルに取付可能とされたので、ベースパネルの所定意匠に代え又は当該所定意匠と共に、脱着パネルの意匠を所望部位に施すことができる。従って、ベースパネルを所望部位に強固に固定させることができるとともに、脱着パネルの取り付けによって表面の意匠の変更を容易に行わせることができる。
【００１０】
請求項２の発明によれば、ベースパネルの所定意匠の一部を表面に臨ませつつ脱着パネルが取付部に取付可能とされたので、ベースパネルの所定意匠と脱着パネルの意匠とが組み合わされて施されることとなり、ユーザの嗜好に合わせた意匠を施すのが可能となるとともに、表面の意匠の独自性をより強調させることができる。
【００１１】
請求項３の発明によれば、取付部は、脱着パネルの少なくとも一部の外輪郭形状に倣った凹部から成り、当該凹部に当該脱着パネルの外輪郭形状を合致させて位置決め可能とされたので、容易且つ確実に脱着パネルをベースパネルの取付部に位置決めしつつ取り付けることができる。
【００１２】
請求項４の発明によれば、脱着パネルは、取付部に対して脱着自在に取り付けられたので、当該脱着パネルの交換をより容易に行わせることができ、ベースパネルを所望部位に固定させた状態でその表面の意匠の変更をよりスムーズに行わせることができる。
【図面の簡単な説明】
【００１３】
【図１】本発明の実施形態に係る意匠パネル（ベースパネルに脱着パネルを取り付けた状態）を示す平面図
【図２】図１中ＩＩ−ＩＩ線断面図
【図３】同意匠パネル（脱着パネルが取り付けられる前のベースパネル）を示す平面図
【図４】図３中ＩＶ−ＩＶ線断面図
【図５】同意匠パネルにおける脱着パネルを示す平面図
【図６】図５中ＶＩ−ＶＩ線断面図
【発明を実施するための形態】
【００１４】
以下、本発明の実施形態について図面を参照しながら具体的に説明する。
本実施形態に係る意匠パネルは、表面に所定意匠が施されるとともに自動車内部の所望部位に固定可能なもので、図１、２に示すように、ベースパネル１と、脱着パネル２とから主に構成されている。ベースパネル１及び脱着パネル２は、それぞれアクリル樹脂を板状に成形させたアクリル板から成るものであり、例えば真空成形等により得られたものである。尚、これらベースパネル１及び脱着パネル２を他の樹脂材料（熱変形抑制のため例えばポリカーボネイトやＡＢＳ樹脂等が好ましい）で構成してもよい。
【００１５】
ベースパネル１は、図３、４に示すように、その表面Ａに所定意匠が施されるとともに裏面Ｂ側が自動車内部の所望部位に固定可能なもので、平面視形状が取付対象の形状（所望部位の形状）に合致した外輪郭形状（左端が上方に突出形成された長尺形状）とされている。かかるベースパネル１の表面の意匠として、例えば所望色の塗料が略均一に塗布された形態、まだらに塗布された形態、所望形状やロゴ等が印刷された形態、鏡面仕上げやエンボス加工等が施された形態等が挙げられる。
【００１６】
更に、ベースパネル１は、脱着パネル２を位置決めさせつつ取付可能な取付部１ａが表面Ａ（所定意匠が施された面）に形成されている。かかる取付部１ａは、脱着パネル２の外輪郭形状に倣った凹部から成り、当該凹部に当該脱着パネル２の外輪郭形状を合致させて位置決め可能とされている。即ち、凹部から成る取付部１ａに沿って脱着パネル２をベースパネル１の表面Ａに当接させれば、当該取付部１ａに対して脱着パネル２を位置決めさせることができるのである。
【００１７】
また、本実施形態においては、ベースパネル１の一部には、脱着パネル２の一部（図５に示す外側面部Ｌ）に倣った段部１ａａが形成されており、かかる段部１ａａによって取付部１ａと他の部位とが隔成されている。この段部１ａａに沿ってベースパネル１の外側面部Ｌを当接させることにより、取付部１ａに脱着パネル２を取付可能とされており、ベースパネル１の所定意匠の一部を表面に臨ませつつ脱着パネル２が取付部１ａに取り付けられることとなる。尚、本実施形態においては、取付部１ａは、脱着パネル２の外輪郭形状全体に倣った凹部とされているが、少なくとも一部の外輪郭形状に倣った凹部で構成してもよい。
【００１８】
脱着パネル２は、図５、６に示すように、ベースパネル１の表面Ａの所定意匠とは異なる意匠が表面Ｃに施されるとともに、裏面Ｄを当該ベースパネル１の取付部１ａの表面に密着させて当該脱着パネル２全体を取付可能とされたものである。かかる脱着パネル２の表面の意匠は、ベースパネル１の表面Ａの所定意匠と異なるものであれば足り、例えば所望色の塗料が略均一に塗布された形態、まだらに塗布された形態、所望形状やロゴ等が印刷された形態、鏡面仕上げやエンボス加工等が施された形態等が挙げられる。
【００１９】
また、脱着パネル２の裏面Ｄには、当該脱着パネル２をベースパネル１の取付部１ａに取り付けるための取付手段３が形成されている。かかる取付手段３は、例えばデュアルロックファスナー（キノコ状に突起したものを対向させ、これらを押し付けることにより両者が貼り付くよう構成されたもの）や面ファスナー（例えば、フック状に起毛された側とループ状に密集して起毛された側とを押し付けることにより両者が貼り付くよう構成されたものであって、貼り付け及び剥がすのが自在とされたファスナー）から成り、図１、２に示すように、脱着パネル２をベースパネル１の取付部１ａに脱着自在に結合させるものとされている。本実施形態によれば、脱着パネル２は、取付部１ａに対して脱着自在に取り付け可能とされるので、当該脱着パネル２の交換をより容易に行わせることができ、ベースパネル１を所望部位に固定させた状態でその表面の意匠の変更をよりスムーズに行わせることができる。
【００２０】
而して、本実施形態においては、図３に示すように、ベースパネル１単体を自動車内の所望部位に取り付け、当該所望部位の意匠をベースパネル１の表面に施された所定意匠に変更する。所望部位に対するベースパネル１の取り付けは、比較的強固に行わせるものとされ、例えば両面テープやネジ或いはビス等で固定される。そして、長期使用或いはユーザの変更により、当該意匠を更に変更するには、図１に示すように、凹部から成る取付部１ａに合致させつつ脱着パネル２を取り付ける。このとき、脱着パネル２の取付部１ａに対する接合強度は、ベースパネル１の所望部位に対する接合強度より低くなるよう設定するのが好ましい。
【００２１】
上記実施形態によれば、脱着パネル２を位置決めさせつつベースパネル１に取付可能とされたので、ベースパネル１の所定意匠に代え又は当該所定意匠と共に、脱着パネルの意匠を所望部位に施すことができる。従って、ベースパネル１を所望部位に強固に固定させることができるとともに、脱着パネル２の取り付けによって表面Ａの意匠の変更を容易に行わせることができる。
【００２２】
特に、本実施形態によれば、ベースパネル１の所定意匠の一部を表面に臨ませつつ脱着パネル２が取付部１ａに取付可能とされたので、ベースパネル１の所定意匠と脱着パネル２の意匠とが組み合わされて施されることとなり、ユーザの嗜好に合わせた意匠を施すのが可能となるとともに、表面（表面Ａ及び表面Ｃ）の意匠の独自性をより強調させることができる。即ち、ベースパネル１の所定意匠と脱着パネル２の意匠とは、多くの組み合わせパターンを有することができるので、よりユーザの嗜好に近づけることができるのである。
【００２３】
また、取付部１ａは、脱着パネル２の少なくとも一部の外輪郭形状に倣った凹部から成り、当該凹部に当該脱着パネル２の外輪郭形状を合致させて位置決め可能とされたので、容易且つ確実に脱着パネル２をベースパネル１の取付部１ａに位置決めしつつ取り付けることができる。尚、本実施形態においては、脱着パネル２をベースパネル１に取り付けた状態で、両パネルの表面Ａ、Ｃが略同一高さ（略面一）となっており、意匠の連続性を維持し得るよう構成されているが、両パネルの表面Ａ、Ｃの高さが異なるよう設定することにより３次元的な意匠としてもよい。
【００２４】
以上、本実施形態について説明したが、本発明はこれに限定されるものではなく、平面視形状が他の形状のものであってもよく、例えばナビゲーションシステムの外周縁を覆う意匠パネル、コンソールボックス等の装備の表面を覆う意匠パネル等であってもよい。また、本実施形態においては、自動車内の所望部位に取り付けられるものとされているが、自動二輪車等の所望部位（例えばメータパネル周縁部等）に取り付ける意匠パネルとしてもよい。
【００２５】
更に、脱着パネル２の取付部１ａに対する取付形態又はベースパネル１の所望部位に対する取付形態は、上記のものに限定されず、例えば以下の形態とすることができる。即ち、ゲル状の接着材、両面テープ、マグネットシート等の粘着手段、ボルト、ボタン及びフック、リベット、スナップピン等の締結手段などを用いて脱着パネル２の取付部１ａに対する取付或いはベースパネル１の所望部位に対する取付を行うことができる。尚、上述したように、ベースパネル１を所望部位に対して強固に固定させるとともに、脱着パネル２をベースパネル１に対して脱着自在に取り付けるよう構成するのが好ましいが、両方共、強固に固定するようにしてもよい。
【産業上の利用可能性】
【００２６】
所定意匠とは異なる意匠が表面に施された脱着パネルを位置決めさせつつ取付可能な取付部が表面に形成されたベースパネルから成る意匠パネルであれば、外観形状が異なるもの或いは他の機能が付加されたもの等に適用してもよい。
【符号の説明】
【００２７】
１  ベースパネル
２  脱着パネル
３  取付手段
【図１】
2011235766.tif 000003
【図２】
2011235766.tif 000004
【図３】
2011235766.tif 000005
【図４】
2011235766.tif 000006
【図５】
2011235766.tif 000007
【図６】
2011235766.tif 000008